(57)【特許請求の範囲】
【請求項１】
リバーシブルプラウ作業機を構成する作業機フレームにボトムを取り付けて構成したリバーシブルプラウ作業機において、作業機フレームにはボトムの耕起幅以上を網羅し、立毛状の残査物を倒すに足りる幅をもつ倒し込み体を備え、この倒し込み体は作業機フレームから側方に張り出していて、適当な範囲で回転できるアームにより支持されて、リバース運動に連動して前記倒し込み体を常に作業地面に接触できるように構成したことを特徴とするリバーシブルプラウ作業機。
【請求項２】
前記倒し込み体が金属製のチェンであることを特徴とする請求項１記載のリバーシブルプラウ作業機。
【請求項３】
前記倒し込み体が弾性をもつ板体であることを特徴とする請求項１記載のリバーシブルプラウ作業機。
【発明の詳細な説明】
【０００１】
【産業上の利用分野】
本発明はリバーシブルプラウ作業機に関し、さらに詳しくは、プラウ作業機による反転作業に先立ち、れき土表面に存在する立毛状の穀稈、雑草類を倒し込んだ後れき土と共に耕起、反転するようにして完全反転、完全鋤き込みを可能にしたリバーシブルプラウ作業機に関する。
【０００２】
【従来の技術】
リバーシブルプラウ作業機は圃場を往復しながら耕土を反転することができるため、作業能率に優れ、プラウ作業機の特徴である有機物を効果的に循環させて耕土の地力を回復させる農業、いわゆる有機物循環農法に適していることから次第に普及するようになってきた。
この農法は、米を始めとする作物の栽培は、まず農業の基本は、土作りから、を目標にしているもので、圃場表面に存在するすべての有機物を土中に還元することを念頭においたものである。
次に、有機物循環農法を実践する環境から説明を加えると、雑草はもちろんのこと稲刈り後、数か月すると収穫の際に残された刈取株から再び発芽してその高さは数１０Ｃｍにも達する程に成長する穀稈を有機物として利用するもので、言い換えると、図９に示されているように、寒起こしをする頃には、圃場では収穫直前のような稲の立毛状の穀稈Ｋの列が見られ、この圃場をリバーシブルプラウを用いて耕す場合、れき土Ｒ１の深さより稲の立毛高さＨ１が高くなっているので、穀稈Ｋはれき土反転の際に折れるのであるが、折れた部分から上の部分が反転れき土Ｒ１の境界部分Ｓから圃場表面に覗き、その部分が再び成長をし、また、成長しないまでも反転作業後の圃場に立毛状の穀稈の列ができ、これらが代掻きの際に表面に浮いて、風に吹かれて浮き苗を発生する原因となることが多いのである。
これを防ぐには、田植え作業に入る前に圃場の土の中に埋没されずに表面に存在する穀稈を除去することが必要であるが、これらを除去するのではなく、地表面に存在する全ての有機物は地中に埋没させて有機物として還元することが望ましい。
【０００３】
【発明が解決しようとする課題】
ところが、ガット・ウルグァイラウンドの取極めが実行されるに至り、従来の営農環境が転換を余儀なくされており、さらに加えて、農業従事人口が著しく減少し、一人当たりの作業量が増化したにも拘らず、反収を維持するためには今まで以上の収量を確保することが必要になっている。
【０００４】
しかしながら、日本農業ではコストダウンにも限界があり、その上、営農規模を維持する上から反収を上げる必要もある。そこで、労働力不足を補うために、水田を始めとして畑などの圃場では大量の化学肥料、殺虫剤などの農薬が使用されるようになっている。それがために、耕土は有機物を分解するバクテリヤなどの微生物までも追放することになり、耕土の有機物の減少を招き、引いては耕土の荒廃の原因となっているのも現実である。土壌が有機物を失うと、無機質ばかりとなり表面の耕土、いわゆる表土は風化作用の影響を著しく受け、雨が降ると表土は流出し、風が吹くと砂塵となって舞い上がりながら移動して次第に失われるのである。要するに小規模ながら大地の砂漠化現象が発生して、緑の大地が失われていくことは日頃耳にするところである。
そこで、日本農業が生き残りをかけるには、価格競争だけでは勝ち目はなく、品質と安全性で他の追従を許さない農産物を提供することができるか否かが問題となる。品質と安全性に優れた農産物の供給することは国民の健康を守り、食生活を豊かにすることになり万人の幸せを追求する一助となって、これこそ日本農業生き残り、発展の活路となるのである。
そこで、本発明は、地表面に存在する全ての有機物を無駄にすることなく活用するのが理想的と考え、れき土の反転の際にその表面に存在する立毛状の雑草はもちろんのこと、穀稈類を悉く反転れき土の下側に埋没させることで耕土の肥沃化を図ることを目的とし、これにより減農薬農業を可能にする一助となり得るものと信じる。
【０００５】
【課題を解決するための手段】
上述の目的を達成するために、本発明は、リバーシブルプラウ作業機を構成する作業機フレームにボトムを取り付けて構成したリバーシブルプラウ作業機において、作業機フレームにはボトムの耕起幅以上を網羅し、立毛状の残査物を倒すに足りる幅をもつ倒し込み体を備え、この倒し込み体は作業機フレームから側方に張り出していて、適当な範囲で回転できるアームにより支持されて、リバース運動に連動して前記倒し込み体を常に作業地面に接触できるように構成したことを特徴とするものであり、また、前記倒し込み体は金属製のチェンであり、あるいは弾性に富む板体であることを特徴とするものである。
【０００６】
【作用】
本発明は、上述のような構成であるから、プラウ作業機が備えるボトムがれき土を反転する直前にれき土の表面に存在する立毛状の雑草、穀稈を一旦倒し込み、倒し込んだ状態でれき土を反転するので、前記雑草、穀稈などの残渣物が確実にれき土の下側になるので、隣り合った反転れき土との境界部分から残渣物が覗くことがなく、残渣物が２次成長するなどの弊害を防止し、有機物の還元を確実に行い得るのである。
【０００７】
【実施例】
次に、本発明の実施例を添付した図面の図１ないし、図８に沿って説明する。これらの図面において、符号１０はリバーシブルプラウ作業機全体を示し、この作業機を構成するために作業進行とは斜交する方向に配置された作業機フレームとしての主フレーム１１をもち、この主フレーム１１はその前端部はリバースしないフロントフレーム１２に対して回転自在に軸支持されており、リバースシリンダ１３の上端部がマスト１４に、下端部が主フレーム１１の最も前位置にあるクロスフレーム１５に枢着されて、このリバースシリンダ１３の伸縮によりリバース運動を行うことができるようになっている。
【０００８】
前記フロントフレーム１２にはトラクタが備える３点リンクヒッチのロアリンクＬ、マスト１４にはアッパリンクＵの端部がそれぞれ取り付けられる。また、前記フロントフレーム１２にはコールタ１６が第１ボトムに対応して取り付けられていて、主フレーム１１の作業幅方向のほぼ中央位置には幅方向に張り出してゲージホィール１７が取り付けられている。
【０００９】
そして、前記主フレーム１１には、その上下両側にボトム１８がビーム１９を介して取り付けられていて、上下とも先端から順に第１ボトム１８Ａ、第２ボトム１８Ｂ、・・・となっており（図では４個のボトムの例を示している）、第１ボトム１８Ａを除く第２のボトム１８Ｂ以下には、各ボトムに対応して倒し込み体として示すチェン２１がゆったりとした張り加減で取り付けられている。
【００１０】
次に、第２ボトム１８Ｂをもって代表してチェン２１の張り方を説明する。まず、主フレーム１１の側面、言い換えると、作業幅方向に沿って、アーム２２が張り出しており、各アーム２２は図５、図６に示すように、前記主フレーム１１に直接的、あるいは間接的に固定されている一対の板材を間隔おいて形成したブラケット２３の間に前記アーム２２の端部２２Ｘを枢着ピン２３Ａにより枢着していて、この枢着ピン２３Ａを中心に垂直面内で９０度ないし１２０度の範囲で回転できるようになっている。
図５に示すように、アーム２２の枢着された端部２２Ｘは角部２２Ａが隅切状に削られて主フレーム１１にこの角部２２Ａが当たることで回転が阻止されるストッパの機能が与えられている。言い換えると、角部２２Ａの形状により回転角度が決定される。
【００１１】
さらに、アーム２２の先端部にはフック２２Ｂが設けてあり、このフック２２Ｂに前記チェン２１の端部が掛けられて、ゆったりとした状態で張られていて作業対象の地面に対して自重により接触することができる。
このチェン２１の掛け渡された幅は、図２に示すように（作業状態を示しているため、やや幅方向に広がっている）各ボトム１８の耕幅より反転側に拡げられた状態になっており、表面に存在する雑草、殻稈、肥料となる緑肥など立毛状の残渣物をチェン２１の重さにより倒し込むことができるようになっている。
【００１２】
以上は、第２ボトム１８Ｂから後のものについて説明をしたが、第１ボトム１８Ａに対応する部分については、主フレーム１１の先頭部分から張り出しアーム２４を設け、この張り出しアーム２４の先端に前記説明のようにブラケット２３を介してアーム２２を取り付けて、このアーム２２のフック２２Ｂにチェン２１の端部を引っかけて支持する。
【００１３】
以上は倒し込み体としてチェン２１を示したが、このチェン２１に代えて、ゴム材のような適当に弾性がある板体３１をアーム２２の先端部に取り付けて構成したもの（図３）を用いても同様の効果が期待できる。
この板体３１も耕起作業幅を網羅するに十分な幅寸法をもち、耕土表面に接触した場合には撓んで、表面の雑草などを若干押しつけながら、倒し込むようにする。
また、アーム２２が圃場の表面の凹凸にしたがって上下動することで、板体３１が上下して表面の堆肥などが偏って存在している場合でもこれを避けることができる。
【００１４】
次に、本発明のリバーシブルプラウ作業機を用いた作業の実際を説明する。先ず、耕起反転作業は従来知られているプラウ耕と同様であるが、ボトム１８がれき土Ｒを反転する直前において、ボトム１８の進行方向の直前に位置する倒し込み体であるチェン２１が自重と、作業進行に伴う作用により耕土表面の立毛状の残存穀稈Ｋなどを倒し込み（図８）、倒し込んだ状態の残渣物と共にれき土Ｒを反転し、前記残存穀稈Ｋなどをれき土の下面に鋤き込むのである。
このとき、耕土表面の多少の凹凸が存在していても、チェン２１は自重により圃場表面に接触しているだけであるので、これが凹凸に沿って変形することで対応することができ、また、板体３１の場合もアーム２２は枢着ピン２３Ａを中心として上下動（回転）することで対応することができる。
【００１６】
とくに、本発明では、リバーシブルプラウ特有の動作、すなわち、上下反転して左耕、右耕を行う作業機に関するものであって、リバーシブル操作の途中において、下側にあったチェン２１が主フレーム１１が反転されるとき上方に連れ回されて反転し、自重により落下したとき、主フレーム１１に上に乗っかり、耕土表面に接触しないことになるが、アーム２２の先端部にチェン２１が支持されているので、アーム２２は適当な範囲で回転でき、確実に下を向きとなり、チェン２１を確実に主フレーム１１の上から引き落とすことができる。
これにより、作業者がトラクタから降りて作業機まで移動してチェン２１を耕土の上に落とす手間は不要である。
【００１７】
また、倒し込み体が板体３１である場合には、リバーシブル作業に対応して確実に耕土上に反転されて、次の耕起反転を開始することができる。
したがって、板体３１は両面が作業面として機能することになる。
【００１８】
【発明の効果】
以上の説明から明らかなように、本発明によるリバーシブルプラウ作業機にあっては、作業機が備えるボトムがれき土を反転する直前の状態において、れき土の表面に存在する穀稈や、雑草などをすべて反転れき土の表面に倒し、その後耕起反転するので残渣物をれき土の下側に確実に埋没させることができ、これにより、有機物の有効利用を図ることができ、また、減農薬農業の普及にも寄与することができる。
【図面の簡単な説明】
【図１】本発明のリバーシブルプラウ作業機の側面図である。
【図２】本発明のリバーシブルプラウ作業機の平面図である。
【図３】倒し込み体の他の実施例の側面図である。
【図４】倒し込み体をチェンにした実施例の部分側面図である。
【図５】図１のＶ部における倒し込み体の支持部の側面図である。
【図６】倒し込み体の支持部であるアームの端部の斜面図である。
【図７】れき土とチェンとの関係を示す説明図である。
【図８】反転される直前のれき土の状態を示す説明図である。
【図９】従来のプラウによる作業状態を示す説明図である。
【符号の説明】
１０    リバーシブルプラウ作業機
１１    主フレーム
１２    フロントフレーム
１３    バースシリンダ
１４    マスト
１５    コールタ
１６    ゲージホィール
１７    ゲージ
１８    ボトム
１９    ビーム
２１    チェン
２２    アーム
２３    ブラケット
２３Ａ  枢着ピン
３１    板体
【図１】
0003613532.tif 000002
【図２】
0003613532.tif 000003
【図３】
0003613532.tif 000004
【図４】
0003613532.tif 000005
【図５】
0003613532.tif 000006
【図６】
0003613532.tif 000007
【図７】
0003613532.tif 000008
【図８】
0003613532.tif 000009
【図９】
0003613532.tif 000010